(57)【要約】【課題】脚被覆部の装着サイズを調節する手間が軽減されるエアーマッサージ装置を提供する。【解決手段】エアーマッサージ装置１は、下腿に巻き付け可能な帯である脚被覆部２０と、脚被覆部２０に設けられたエアーバッグとを備える。脚被覆部２０は、下腿に巻かれた装着状態における装着サイズを調節可能な構造を含む調節部と、脚被覆部２０の長手方向の一方の端部である第１端部２１Ａを含む第１部分２１と脚被覆部２０の長手方向の他方の端部である第２端部２４Ａを含む第２部分２４とを結合および分離する結合分離部４０とを備える。結合分離部４０は調節部による脚被覆部２０の装着サイズに関する状態を保持したまま、第１部分２１と第２部分２４とを結合および分離できるように構成されている。【選択図】図１
2018183282.tif 000002
【特許請求の範囲】
【請求項１】
脚に巻き付け可能な帯である脚被覆部と、
前記脚被覆部に設けられたエアーバッグとを備え、
前記脚被覆部は、脚に巻かれた装着状態における装着サイズを調節可能な構造を含む調節部と、前記脚被覆部の長手方向の一方の端部である第１端部を含む第１部分と前記脚被覆部の長手方向の他方の端部である第２端部を含む第２部分とを結合および分離する結合分離部とを備え、
前記結合分離部は前記調節部による前記脚被覆部の装着サイズに関する状態を保持したまま前記第１部分と前記第２部分とを結合および分離できるように構成されている
エアーマッサージ装置。
【請求項２】
前記結合分離部は線ファスナを含む
請求項１に記載のエアーマッサージ装置。
【請求項３】
前記線ファスナは脚の上下方向に操作できるように構成されている
請求項２に記載のエアーマッサージ装置。
【請求項４】
前記結合分離部は前記脚被覆部が前記装着状態において脚の幅方向の中心に対して内側に位置するように前記脚被覆部に設けられている
請求項１〜３のいずれか一項に記載のエアーマッサージ装置。
【請求項５】
前記調節部は、前記第１部分の裏面に設けられたフックおよびループの一方と、前記第２部分の表面に設けられたフックおよびループの他方とにより構成される面ファスナを含み、
前記脚被覆部は前記装着状態において前記第１端部が脚の幅方向の中心に対して外側に位置するように構成されている
請求項４に記載のエアーマッサージ装置。
【請求項６】
足に装着可能な足被覆部をさらに備え、
前記結合分離部は前記脚被覆部および前記足被覆部の両方に設けられている
請求項１〜５のいずれか一項に記載のエアーマッサージ装置。
【請求項７】
前記足被覆部は足の甲を被覆可能な甲被覆部を含み、
前記線ファスナの一方の端部は前記甲被覆部における前記脚被覆部寄りの部分に設けられている
請求項２を引用する請求項６に記載のエアーマッサージ装置。
【発明の詳細な説明】
【技術分野】
【０００１】
本発明はエアーマッサージ装置に関する。
【背景技術】
【０００２】
エアーバッグを用いて脚をマッサージ可能なエアーマッサージ装置が知られている。このエアーマッサージ装置は、脚に巻き付け可能な帯である脚被覆部、脚をマッサージするエアーバッグ、および、脚に対する脚被覆部の装着サイズを調節可能な構造を含む調節部を備える。脚被覆部が脚にフィットするように脚被覆部の装着サイズが調節されることにより、脚被覆部が脚に適切に装着される。特許文献１は従来のエアーマッサージ装置の一例を開示している。
【先行技術文献】
【特許文献】
【０００３】
【特許文献１】特開２０１４−８２２７号公報
【発明の概要】
【発明が解決しようとする課題】
【０００４】
上記エアーマッサージ装置において脚被覆部を脚に適切に装着するためには、エアーマッサージ装置を使用する毎に脚被覆部の装着サイズを調節する必要がある。
【課題を解決するための手段】
【０００５】
本発明に関するエアーマッサージ装置の一形態は、脚に巻き付け可能な帯である脚被覆部と、前記脚被覆部に設けられたエアーバッグとを備え、前記脚被覆部は、脚に巻かれた装着状態における装着サイズを調節可能な構造を含む調節部と、前記脚被覆部の長手方向の一方の端部である第１端部を含む第１部分と前記脚被覆部の長手方向の他方の端部である第２端部を含む第２部分とを結合および分離する結合分離部とを備え、前記結合分離部は前記調節部による前記脚被覆部の装着サイズに関する状態を保持したまま前記第１部分と前記第２部分とを結合および分離できるように構成されている。
【発明の効果】
【０００６】
本発明に関するエアーマッサージ装置によれば、脚被覆部の装着サイズを調節する手間が軽減される。
【図面の簡単な説明】
【０００７】
【図１】実施の形態１のエアーマッサージ装置の斜視図。
【図２】図１の脚被覆部が開放された状態を示す正面図。
【図３】図１の脚被覆部の第１展開状態を示す展開図。
【図４】図１の脚被覆部の第２展開状態を示す展開図。
【図５】図１のエアーマッサージ装置の使用状態の一例を示す斜視図。
【図６】実施の形態２のエアーマッサージ装置の斜視図。
【図７】実施の形態３のエアーマッサージ装置の斜視図。
【図８】変形例の脚被覆部の斜視図。
【発明を実施するための形態】
【０００８】
（エアーマッサージ装置が取り得る形態の一例）
（１）本発明に関するエアーマッサージ装置の一形態は、脚に巻き付け可能な帯である脚被覆部と、前記脚被覆部に設けられたエアーバッグとを備え、前記脚被覆部は、脚に巻かれた装着状態における装着サイズを調節可能な構造を含む調節部と、前記脚被覆部の長手方向の一方の端部である第１端部を含む第１部分と前記脚被覆部の長手方向の他方の端部である第２端部を含む第２部分とを結合および分離する結合分離部とを備え、前記結合分離部は前記調節部による前記脚被覆部の装着サイズに関する状態を保持したまま前記第１部分と前記第２部分とを結合および分離できるように構成されている。
【０００９】
上記エアーマッサージ装置によれば、脚被覆部が脚に巻かれた装着状態で調節部を操作することにより脚に対する脚被覆部の装着サイズを調節できる。脚被覆部の装着サイズが調節された状態で脚被覆部の第１部分と第２部分とが分離されるように結合分離部を操作することにより、調節部による脚被覆部の装着サイズに関する状態が保持されたまま、脚被覆部を脚から外すことができる。その後にエアーマッサージ装置を再び使用する場合、第１部分と第２部分とが分離された状態の脚被覆部を脚に巻き、第１部分と第２部分とが結合されるように結合分離部を操作することにより、調節部による脚被覆部の装着サイズの調節が完了した状態で脚被覆部が脚に装着される。このため、エアーマッサージ装置を使用する場合に脚被覆部の装着サイズを調節する手間が軽減される。
【００１０】
（２）前記エアーマッサージ装置の一例によれば、前記結合分離部は線ファスナを含む。このため、結合分離部を容易に操作できる。
（３）前記エアーマッサージ装置の一例によれば、前記線ファスナは脚の上下方向に操作できるように構成されている。このため、結合分離部を一層容易に操作できる。
【００１１】
（４）前記エアーマッサージ装置の一例によれば、前記結合分離部は前記脚被覆部が前記装着状態において脚の幅方向の中心に対して内側に位置するように前記脚被覆部に設けられている。このため、結合分離部を一層容易に操作できる。
【００１２】
（５）前記エアーマッサージ装置の一例によれば、前記調節部は、前記第１部分の裏面に設けられたフックおよびループの一方と、前記第２部分の表面に設けられたフックおよびループの他方とにより構成される面ファスナを含み、前記脚被覆部は前記装着状態において前記第１端部が脚の幅方向の中心に対して外側に位置するように構成されている。
【００１３】
脚被覆部が装着状態において脚被覆部の第１端部が脚の幅方向の中心に対して外側に位置するため、体幹から離れた位置から体幹側に引き寄せるように腕を動かすことにより面ファスナを剥がすことができる。このため、面ファスナを容易に剥がすことができる。結合分離部が脚の幅方向の内側に設けられているため、ループおよびフックの面積を広く取ることができる。このため、面ファスナが強く結合し、エアーバッグが動作した場合に脚被覆部の装着サイズが安定して保持される。
【００１４】
（６）前記エアーマッサージ装置の一例によれば、足に装着可能な足被覆部をさらに備え、前記結合分離部は前記脚被覆部および前記足被覆部の両方に設けられている。
結合分離部を操作することにより足被覆部の少なくとも一部が分離される。このため、足被覆部を足から容易に外すことができる。
【００１５】
（７）前記エアーマッサージ装置の一例によれば、前記足被覆部は足の甲を被覆可能な甲被覆部を含み、前記線ファスナの一方の端部は前記甲被覆部における前記脚被覆部寄りの部分に設けられている。
【００１６】
線ファスナが脚被覆部および足被覆部に設けられるため、脚被覆部および足被覆部がそれぞれ脚および足に装着された状態において脚被覆部および足被覆部のうちの足首およびその付近を被覆する部分では線ファスナが大きく湾曲する。上記エアーマッサージ装置では、線ファスナの一方の端部が甲被覆部における脚被覆部寄りの部分に設けられているため、線ファスナのうちの足首に対応する部分から線ファスナの一方の端部までにおける線ファスナの操作量が少なくなる。このため、線ファスナに大きく湾曲する部分が含まれるものの、線ファスナを容易に操作できる。
【００１７】
（実施の形態１）
図１はエアーマッサージ装置１の外観である。エアーマッサージ装置１は一対の装着物１０、コントローラ６０、および、２本のワイヤハーネス７０を備える。一方のワイヤハーネス７０は一方の装着物１０とコントローラ６０とを接続し、他方のワイヤハーネス７０は他方の装着物１０とコントローラ６０とを接続している。
【００１８】
コントローラ６０は本体６１、操作部６２、接続コネクタ６３、電源コネクタ６４、および、電源（図示略）を備える。本体６１は各種の電気的な要素を内部に収容している。操作部６２の機能はエアーマッサージ装置１の動作に関する情報を入力することである。接続コネクタ６３は本体６１の外面に設けられ、２本のワイヤハーネス７０がそれぞれ接続される。電源コネクタ６４は本体６１の外面に設けられ、例えばＡＣアダプタ（図示略）が接続される。電源の機能はエアーマッサージ装置１を構成する各種の電気的な要素に電力を供給することである。電源は例えば本体６１内に設けられ、ＡＣアダプタを介して商用電源（図示略）から電力が供給されることにより起動する。
【００１９】
一対の装着物１０は対応する脚に装着される。一方の装着物１０および他方の装着物１０は左右対称の関係を有する。装着物１０は脚被覆部２０およびエアーバッグ５０（図３参照）を備える。脚被覆部２０は下腿Ｌ（図５参照）に巻き付け可能な帯である。脚被覆部２０は例えば下腿Ｌを締め付けることに寄与する部分を含む。エアーバッグ５０は脚被覆部２０に設けられる。エアーバッグ５０は例えば本体６１内に設けられたエアーポンプ（図示略）からワイヤハーネス７０を介して空気が供給されることにより膨張する。
【００２０】
図２に示されるように、脚被覆部２０は調節部３０および結合分離部４０を備える。調節部３０は脚被覆部２０が下腿Ｌに巻かれた装着状態における脚被覆部２０の装着サイズを調節可能な構造を含む。装着サイズは装着状態における脚被覆部２０の内周の大きさを規定する。一例では、調節部３０により脚被覆部２０の装着サイズが調節されることによって、脚被覆部２０が下腿Ｌを締め付ける強さが変更される。結合分離部４０の機能は脚被覆部２０の長手方向の一方の端部である第１端部２１Ａを含む第１部分２１と、脚被覆部２０の長手方向の他方の端部である第２端部２４Ａを含む第２部分２４とを結合および分離することである。脚被覆部２０の長手方向は脚被覆部２０が展開された状態における脚被覆部２０の長手方向を示す。
【００２１】
脚被覆部２０は第１部分２１および第２部分２４を含む。第１部分２１は例えば脚被覆部２０が装着状態において、脚被覆部２０の一部を外方から覆う部分である（図１参照）。第１部分２１は上方部分２２および下方部分２３をさらに含む。上方部分２２は脚被覆部２０が装着された下腿Ｌの上下方向において下方部分２３よりも上方に設けられる。上方部分２２および下方部分２３は、例えば脚被覆部２０の長手方向において結合分離部４０から延びるように互いに個別に形成されている。一例では、上方部分２２の面積は下方部分２３の面積よりも広い。
【００２２】
調節部３０は第１調節部３１および第２調節部３２を含む。第１調節部３１は例えば脚被覆部２０における下腿Ｌの腓腹筋まわりの部分と対応する部分に設けられる。第１調節部３１は面ファスナ３１Ａを含む。面ファスナ３１Ａはフック３１Ｂおよびループ３１Ｃにより構成される。フック３１Ｂは例えば第２部分２４の表面２４Ｂにおいて、第１部分２１の上方部分２２と対応する部分に設けられる。一例では、フック３１Ｂは第２部分２４の表面２４Ｂのうちの第２端部２４Ａ側に設けられる。ループ３１Ｃは例えば少なくとも上方部分２２の裏面２２Ａに設けられる。図示される例では、ループ３１Ｃは結合分離部４０を挟むように上方部分２２の裏面２２Ａおよび第２部分２４の裏面２４Ｃに設けられる。
【００２３】
第２調節部３２は例えば脚被覆部２０における下腿Ｌのヒラメ筋まわりの部分と対応する部分に設けられる。第２調節部３２は面ファスナ３２Ａを含む。面ファスナ３２Ａはフック３２Ｂおよびループ３２Ｃにより構成される。フック３２Ｂは例えば第２部分２４の表面２４Ｂにおいて、第１部分２１の下方部分２３と対応する部分に設けられる。一例では、フック３２Ｂは第２部分２４の表面２４Ｂのうちの第２端部２４Ａ側に設けられる。ループ３２Ｃは例えば少なくとも下方部分２３の裏面２３Ａに設けられる。図示される例では、ループ３２Ｃは結合分離部４０を挟むように下方部分２３の裏面２３Ａおよび第２部分２４の裏面２４Ｃに設けられる。脚被覆部２０が下腿Ｌに巻き付けられ、脚被覆部２０が下腿Ｌにフィットするように各ループ３１Ｃ、３２Ｃが対応するフック３１Ｂ、３２Ｂに貼り合せられることによって、脚被覆部２０が下腿Ｌに適切に装着される。脚被覆部２０が下腿Ｌにフィットする状態では、脚被覆部２０の装着サイズが適切に設定されている。
【００２４】
脚被覆部２０は例えば装着状態において、第１端部２１Ａが下腿Ｌの幅方向の中心に対して外側に位置するように構成されている（図１参照）。この構成では、ユーザが第１端部２１Ａを掴み、体幹から離れた位置から体幹側に引き寄せるように腕を動かすことにより面ファスナ３１Ａ、３２Ａを剥がすことができる。このため、面ファスナ３１Ａ、３２Ａを容易に剥がすことができる。また、ユーザが第１端部２１Ａを掴み、体幹から離れる方向に腕を動かすことにより面ファスナ３１Ａ、３２Ａを貼り合せることができる。このため、面ファスナ３１Ａ、３２Ａを容易に貼り合せることができる。
【００２５】
結合分離部４０は調節部３０による脚被覆部２０の装着サイズに関する状態を保持したまま、第１部分２１と第２部分２４とを結合および分離できるように構成されている。結合分離部４０は線ファスナ４１を含む。一例では、線ファスナ４１は開製品である。線ファスナ４１は例えば脚被覆部２０が装着された下腿Ｌの上下方向に延びるように脚被覆部２０に設けられ、下腿Ｌの上下方向に操作できるように構成されている。このような構成では、結合分離部４０を容易に操作できる。
【００２６】
図１に示されるように、結合分離部４０は脚被覆部２０が装着状態において、下腿Ｌの幅方向の中心に対して内側に位置するように脚被覆部２０に設けられている。この構成では、フック３１Ｂ、３２Ｂおよびループ３１Ｃ、３２Ｃ（図２参照）の面積を広く取ることができるため、面ファスナ３１Ａ、３２Ａが強く結合する。このため、エアーバッグ５０が動作した場合に脚被覆部２０の装着サイズが安定して保持される。
【００２７】
線ファスナ４１はスライダ４２、一対のテープ４３、および、複数のエレメント４４を備える。一対のテープ４３は脚被覆部２０が装着された下腿Ｌの上下方向において、脚被覆部２０の一方の縁２０Ａから他方の縁２０Ｂまで延びている。複数のエレメント４４は互いに結合および分離できるように各テープ４３のそれぞれに設けられている。スライダ４２はテープ４３に沿って下腿Ｌの上下方向に操作されることにより、一方のテープ４３に設けられたエレメント４４と他方のテープ４３に設けられたエレメント４４とを結合または分離させる。
【００２８】
一例では、スライダ４２がテープ４３に沿って上方向に操作されることにより、一方のテープ４３に設けられたエレメント４４と他方のテープ４３に設けられたエレメント４４とが結合される。そして、対応する各エレメント４４の全部が結合されることにより、第１部分２１と第２部分２４とが結合された状態が形成される。一方、スライダ４２がテープ４３に沿って下方向に操作されることにより、互いに結合された各エレメント４４が分離される。そして、互いに結合された各エレメント４４の全部が分離されることにより、第１部分２１と第２部分２４とが分離された状態が形成される。
【００２９】
脚被覆部２０は第１展開状態（図３参照）および第２展開状態（図４参照）を取り得る。図３に示される第１展開状態は、調節部３０の面ファスナ３１Ａ、３２Ａが剥がされた状態である。第１展開状態では、第１部分２１と第２部分２４とが結合分離部４０により互いに結合されている。第１展開状態の脚被覆部２０が下腿Ｌにフィットするように面ファスナ３１Ａ、３２Ａが互いに貼り合せられることにより、脚被覆部２０の装着サイズが適切に設定される。図３に示される例では、結合分離部４０は脚被覆部２０が装着された下腿Ｌの上方から下方に向けて、下腿Ｌの幅方向の中心に対して内側に傾斜している。
【００３０】
図４に示される第２展開状態は、脚被覆部２０の装着サイズが適切に設定されるように面ファスナ３１Ａ、３２Ａが互いに貼り合せられたまま、結合分離部４０により第１部分２１と第２部分２４とが分離された状態である。脚被覆部２０の長手方向において、第２展開状態における脚被覆部２０の長さは第１展開状態（図３参照）における脚被覆部２０の長さよりも短い。第２展開状態の脚被覆部２０が下腿Ｌにフィットするように第１部分２１と第２部分２４とが結合分離部４０により結合されることによって、適切に設定された脚被覆部２０の装着サイズと実質的に同じ装着サイズで脚被覆部２０が下腿Ｌに装着される。
【００３１】
エアーバッグ５０は第１エアーバッグ５１、第２エアーバッグ５２、および、非膨張部５３を含む。第１エアーバッグ５１の機能は下腿Ｌの腓腹筋をマッサージすることである。第２エアーバッグ５２の機能は下腿Ｌのヒラメ筋をマッサージすることである。第１エアーバッグ５１および第２エアーバッグ５２には、例えばエアーポンプから空気が供給される供給口（図示略）が個別に設けられている。非膨張部５３は空気が流入しないように溶着された部分である。非膨張部５３は例えば第１エアーバッグ５１の中央に設けられている。このため、第１エアーバッグ５１は下腿Ｌを挟み込むように膨張する。
【００３２】
図５を参照して、エアーマッサージ装置１の使用方法の一例について説明する。
エアーマッサージ装置１は例えばユーザにより次のように使用される。第１手順では、第１展開状態（図３参照）の脚被覆部２０が下腿Ｌに巻き付けられる。第２手順では、脚被覆部２０が下腿Ｌに巻かれた装着状態で調節部３０が操作されることにより下腿Ｌに対する脚被覆部２０の装着サイズが調節される。具体的には、脚被覆部２０が下腿Ｌにフィットするように面ファスナ３１Ａ、３２Ａ（図２参照）が互いに貼り合せられる。第３手順では、操作部６２（図１参照）が操作されることによりエアーマッサージ装置１が駆動する。このため、エアーバッグ５０により下腿Ｌがマッサージされる。その後、エアーマッサージ装置１の動作が終了し、第４手順に移行する。
【００３３】
図５に示されるように、第４手順では、第１部分２１と第２部分２４とが分離するように結合分離部４０が操作される。具体的には、第１部分２１と第２部分２４とが分離し、脚被覆部２０が第２展開状態（図４参照）を形成するように線ファスナ４１が操作される。このため、脚被覆部２０の装着サイズに関する状態が保持されたまま、脚被覆部２０を下腿Ｌから外すことができる。
【００３４】
その後にエアーマッサージ装置１を再び使用する場合、第５手順に移行する。第５手順では、第２展開状態の脚被覆部２０が下腿Ｌに巻き付けられ、第１部分２１と第２部分２４とが結合するように線ファスナ４１が操作される。このため、脚被覆部２０の装着サイズの調節が完了した状態で脚被覆部２０が下腿Ｌに装着され、エアーマッサージ装置１を使用する場合に脚被覆部２０の装着サイズを調節する手間が軽減される。また、面ファスナ３１Ａ、３２Ａを剥がす動作の回数が低減されるため、面ファスナ３１Ａ、３２Ａを剥がす場合に生じる大きな音が発生する頻度が低減される。第５手順以降では、例えば第３手順〜第５手順が繰り返される。
【００３５】
（実施の形態２）
実施の形態２のエアーマッサージ装置１は、以下に説明する点において実施の形態１のエアーマッサージ装置１と相違し、その他の点において実施の形態１のエアーマッサージ装置１と実質的に同じ構成を備える。
【００３６】
図６は実施の形態２のエアーマッサージ装置１の外観である。エアーマッサージ装置１は一対の装着物１１０、コントローラ６０、および、２本のワイヤハーネス７０を備える。一方のワイヤハーネス７０は一方の装着物１１０とコントローラ６０とを接続し、他方のワイヤハーネス７０は他方の装着物１１０とコントローラ６０とを接続している。
【００３７】
一対の装着物１１０は対応する下肢に装着される。一方の装着物１１０および他方の装着物１１０は左右対称の関係を有する。装着物１１０は脚被覆部２０、エアーバッグ５０（図３参照）、および、足被覆部１２０を備える。脚被覆部２０および足被覆部１２０は例えば一体的に形成されている。足被覆部１２０は足に装着可能である。足被覆部１２０は甲被覆部１２１を含む。甲被覆部１２１は足被覆部１２０のうちの足の甲を被覆可能な部分である。なお、装着物１１０の具体的な構成は特開２０１５−１７３７０９号公報に開示されているブーツの構成と実質的に同じであるため、その共通する事項の説明の一部または全部を省略する。
【００３８】
結合分離部４０は脚被覆部２０および足被覆部１２０の両方に設けられている。一例では、結合分離部４０は装着物１１０が装着された下腿Ｌの上下方向において、脚被覆部２０の縁２０Ａから足被覆部１２０に跨るように延びている。結合分離部４０を操作することにより足被覆部１２０の少なくとも一部が分離されるため、足被覆部１２０を足から容易に外すことができる。
【００３９】
線ファスナ４１は例えば止製品である。線ファスナ４１はスライダ４２、一対のテープ４３、複数のエレメント４４、下止４５、および、上止（図示略）を含む。下止４５および上止の機能はテープ４３に対するスライダ４２の移動を規制することである。下止４５は例えば線ファスナ４１の一方の端部４１Ａに設けられる。線ファスナ４１の一方の端部４１Ａは甲被覆部１２１における脚被覆部２０寄りの部分に設けられている。上止は例えば線ファスナ４１の他方の端部４１Ｂに設けられる。
【００４０】
図６に示される例では、線ファスナ４１は脚被覆部２０および足被覆部１２０のうちの足首およびその付近を被覆する部分において大きく湾曲している。一方、線ファスナ４１の一方の端部４１Ａが甲被覆部１２１における脚被覆部２０寄りの部分に設けられているため、線ファスナ４１のうちの足首に対応する部分から線ファスナ４１の一方の端部４１Ａまでの距離が短い。このため、線ファスナ４１に大きく湾曲する部分が含まれるものの、線ファスナ４１を容易に操作できる。
【００４１】
（実施の形態３）
実施の形態３のエアーマッサージ装置１は、以下に説明する点において実施の形態２のエアーマッサージ装置１と相違し、その他の点において実施の形態２のエアーマッサージ装置１と実質的に同じ構成を備える。
【００４２】
図７は実施の形態３のエアーマッサージ装置１の外観である。エアーマッサージ装置１は一対の装着物２１０、コントローラ６０、および、２本のワイヤハーネス７０を備える。一方のワイヤハーネス７０は一方の装着物２１０とコントローラ６０とを接続し、他方のワイヤハーネス７０は他方の装着物２１０とコントローラ６０とを接続している。
【００４３】
一対の装着物２１０は対応する下肢に装着される。一方の装着物２１０および他方の装着物２１０は左右対称の関係を有する。装着物２１０は第１脚被覆部２２０、第２脚被覆部２３０、足被覆部２４０、および、連結部２５０を備える。第２脚被覆部２３０および足被覆部２４０の構成は、実施の形態２の脚被覆部２０および足被覆部１２０の構成と実質的に同じである。
【００４４】
第１脚被覆部２２０は脚に巻き付け可能な帯である。第１脚被覆部２２０は複数の装着形態の中から１つの装着形態を選択可能である。複数の装着形態は第１装着形態および第２装着形態を含む。第１装着形態は第１脚被覆部２２０が膝にかからないように大腿に装着される装着形態である。第２装着形態は第１脚被覆部２２０が膝を跨いで大腿および下腿Ｌに装着される装着形態である。第１脚被覆部２２０には脚をマッサージ可能なエアーバッグ（図示略）が設けられている。
【００４５】
第１脚被覆部２２０は上部被覆部２２１、下部被覆部２２２、および、接続部２２３を備える。上部被覆部２２１は第２装着形態において大腿に装着される部分である。上部被覆部２２１は調節部２２１Ａを含む。調節部２２１Ａは上部被覆部２２１が大腿に巻かれた状態における上部被覆部２２１の装着サイズを調節可能な構造を含む。調節部２２１Ａは面ファスナ（図示略）を含む。下部被覆部２２２は第２装着形態において下腿Ｌに装着される部分である。下部被覆部２２２は調節部２２２Ａを含む。調節部２２２Ａは下部被覆部２２２が脚に巻かれた状態における下部被覆部２２２の装着サイズを調節可能な構造を含む。調節部２２２Ａは面ファスナ（図示略）を含む。接続部２２３は上部被覆部２２１と下部被覆部２２２とを接続する部分である。接続部２２３は第１脚被覆部２２０が第２装着形態で膝に装着された場合に膝が露出するように前方が開放されている。
【００４６】
連結部２５０は第１脚被覆部２２０と第２脚被覆部２３０とが相対的に移動できるように第１脚被覆部２２０と第２脚被覆部２３０とを連結している。連結部２５０は例えば第１脚被覆部２２０および第２脚被覆部２３０と一体的に形成されている。連結部２５０は例えば撓みやすい材料により構成されている。連結部２５０は第１脚被覆部２２０が第１装着形態で脚に装着された場合に膝が露出するように前方が開放されている。
【００４７】
第１脚被覆部２２０は結合分離部２６０をさらに備える。結合分離部２６０の機能は第１脚被覆部２２０の長手方向の一方の端部を含む第１部分２２０Ａと、第１脚被覆部２２０の長手方向の他方の端部を含む第２部分２２０Ｂとを結合および分離することである。第１脚被覆部２２０の長手方向は脚に装着された第１脚被覆部２２０の周方向を示す。
【００４８】
結合分離部２６０は調節部２２１Ａ、２２２Ａによる第１脚被覆部２２０の装着サイズに関する状態を保持したまま、第１部分２２０Ａと第２部分２２０Ｂとを結合および分離できるように構成されている。結合分離部２６０は線ファスナ２６１を含む。一例では、線ファスナ２６１は開製品である。線ファスナ２６１の構成は実施の形態１の線ファスナ４１の構成と実質的に同じである。線ファスナ２６１は例えば第１脚被覆部２２０が装着された脚の上下方向に延びるように、上部被覆部２２１、接続部２２３の開口２２３Ａ、および、下部被覆部２２２に跨るように設けられている。このため、エアーマッサージ装置１を使用する場合に第１脚被覆部２２０の装着サイズを調節する手間が軽減される。なお、線ファスナ２６１は第１脚被覆部２２０が装着された脚の上下方向に延びるように、上部被覆部２２１および下部被覆部２２２の両方に個別に設けられてもよい。
【００４９】
（変形例）
上記各実施の形態に関する説明は本発明に関するエアーマッサージ装置が取り得る形態の例示であり、その形態を制限することを意図していない。本発明は上記各実施の形態以外に例えば以下に示される各実施の形態の変形例、および、相互に矛盾しない少なくとも２つの変形例が組み合わせられた形態を取り得る。
【００５０】
・実施の形態３の装着物２１０の構成は任意に変更可能である。第１例では、足被覆部２４０が装着物２１０から省略される。第２例では、第２脚被覆部２３０、足被覆部２４０、および、連結部２５０が装着物２１０から省略される。第３例では、下部被覆部２２２および接続部２２３が第１脚被覆部２２０から省略され、第２脚被覆部２３０、足被覆部２４０、および、連結部２５０が装着物２１０から省略される。
【００５１】
・実施の形態２の線ファスナ４１の構成は任意に変更可能である。第１例では、線ファスナ４１の一方の端部４１Ａは足被覆部１２０が装着された足の前後方向において、甲被覆部１２１の中間部分に設けられる。第２例では、線ファスナ４１の一方の端部４１Ａは甲被覆部１２１における先端寄りの部分に設けられる。甲被覆部１２１の先端は足の爪先およびその付近を被覆する部分である。第３例では、線ファスナ４１の一方の端部４１Ａは甲被覆部１２１の先端に設けられる。第３例における線ファスナ４１は開製品として構成されてもよい。第４例では、線ファスナ４１は逆開製品として構成される。
【００５２】
・実施の形態１の線ファスナ４１の構成は任意に変更可能である。第１例では、線ファスナ４１は止製品として構成される。第２例では、線ファスナ４１は逆開製品として構成される。第３例では、図８に示されるように、スライダ４２がテープ４３に沿って下方向に操作されることにより第１部分２１と第２部分２４とが結合され、スライダ４２がテープ４３に沿って上方向に操作されることにより第１部分２１と第２部分２４とが分離される。第３例における線ファスナ４１は開製品または止製品である。図８に示される例では、線ファスナ４１は止製品である。実施の形態２の線ファスナ４１においても第３例と同様の変形例が成立する。実施の形態３の線ファスナ４１、２６１においても第１例〜第３例と同様の変形例が成立する。
【００５３】
・脚被覆部２０に対する結合分離部４０の配置は任意に変更可能である。第１例では、結合分離部４０は脚被覆部２０が装着状態において、下腿Ｌの幅方向の中心に対して外側寄りに位置するように脚被覆部２０に設けられる。第２例では、結合分離部４０は脚被覆部２０が装着状態において、下腿Ｌの幅方向の中心寄りに位置するように脚被覆部２０に設けられる。第３例では、結合分離部４０は脚被覆部２０が装着された下腿Ｌの上方から下方に向けて、下腿Ｌの幅方向の中心に対して外側に傾斜している。第４例では、結合分離部４０は脚被覆部２０が装着された下腿Ｌの上下方向において真っ直ぐに延びている。第５例では、結合分離部４０は脚被覆部２０が装着状態において、下腿Ｌの前方側または後方側に位置するように脚被覆部２０に設けられる。
【００５４】
・結合分離部４０の構成は任意に変更可能である。第１例では、結合分離部４０は１つまたは複数のフックを含む。第２例では、結合分離部４０は１つまたは複数のボタンを含む。
【００５５】
・面ファスナ３１Ａの構成は任意に変更可能である。第１例では、ループ３１Ｃは上方部分２２の裏面２２Ａだけに設けられる。第２例では、フック３１Ｂが少なくとも上方部分２２の裏面２２Ａに設けられ、ループ３１Ｃが第２部分２４の表面２４Ｂに設けられる。面ファスナ３２Ａにおいても同様の変形例が成立する。
【００５６】
・調節部３０は第１調節部３１および第２調節部３２の一方を省略した形態を取り得る。この例によれば、脚被覆部２０は下腿Ｌに対する装着サイズが一方の調節部３１、３２により調節できる形状であることが好ましい。
【００５７】
・上方部分２２の面積と下方部分２３の面積との関係は任意に変更可能である。第１例では、上方部分２２の面積は下方部分２３の面積と実質的に同じである。第２例では、上方部分２２の面積は下方部分２３の面積よりも狭い。
【００５８】
・脚被覆部２０の第１端部２１Ａの配置は任意に変更可能である。一例では、脚被覆部２０は装着状態において、第１端部２１Ａが下腿Ｌの幅方向の中心に対して内側に位置するように構成される。
【００５９】
・脚被覆部２０の構成は任意に変更可能である。第１例では、脚被覆部２０は大腿に巻き付け可能な帯である。第２例では、脚被覆部２０は大腿および下腿Ｌに跨るように巻き付け可能な帯である。
【００６０】
・装着物１０の構成は任意に変更可能である。一例では、装着物１０は内布をさらに含む。内布は脚被覆部２０の裏面に設けられる。内布は例えば第１部分２１と第２部分２４とが結合分離部４０により分離された場合に分離しないように脚被覆部２０に設けられる。第１例では、内布は弾性材料により構成される。第２例では、内布は脚被覆部２０の裏面の面積よりも広い面積を有する布により構成され、少なくとも結合分離部４０と対応する部分に余裕ができるように脚被覆部２０に設けられる。
【産業上の利用可能性】
【００６１】
本発明に関するエアーマッサージ装置は、家庭用および業務用をはじめとする各種のエアーマッサージ装置に利用できる。
【符号の説明】
【００６２】
１        ：エアーマッサージ装置
２０      ：脚被覆部
２１      ：第１部分
２１Ａ    ：第１端部
２２Ａ    ：裏面
２３Ａ    ：裏面
２４      ：第２部分
２４Ａ    ：第２端部
２４Ｂ    ：表面
３０      ：調節部
３１Ａ    ：面ファスナ
３１Ｂ    ：フック
３１Ｃ    ：ループ
３２Ａ    ：面ファスナ
３２Ｂ    ：フック
３２Ｃ    ：ループ
４０      ：結合分離部
４１      ：線ファスナ
４１Ａ    ：端部
５０      ：エアーバッグ
１２０    ：足被覆部
１２１    ：甲被覆部
２２０    ：第１脚被覆部（脚被覆部）
２２０Ａ  ：第１部分
２２０Ｂ  ：第２部分
２２１Ａ  ：調節部
２２２Ａ  ：調節部
２３０    ：第２脚被覆部（脚被覆部）
２４０    ：足被覆部
２６０    ：結合分離部
２６１    ：線ファスナ
Ｌ        ：下腿（脚）
【図１】
2018183282.tif 000003
【図２】
2018183282.tif 000004
【図３】
2018183282.tif 000005
【図４】
2018183282.tif 000006
【図５】
2018183282.tif 000007
【図６】
2018183282.tif 000008
【図７】
2018183282.tif 000009
【図８】
2018183282.tif 000010